(57)【要約】【課題】店舗内などで、商品に対応して掲示される棚札やＰＯＰ広告紙などの表示札を、簡単な構成で管理することができる表示札処理システムを提供する。【解決手段】店舗内などに掲示される商品価格表示札やＰＯＰ広告紙などの表示札８に関する処理を行う表示札処理システムであって、商品の価格やＰＯＰ広告などが表示される表示札８それぞれに割り当てられた札識別情報８５と商品に関する商品情報とを関連付けて記憶する記憶部と、札識別情報と表示札に表示させる商品情報などを表示した表示札８を生成する生成部としての発行部と、掲示された表示札８を撮像する撮像部３０と、撮像部３０により商品価格表示札などの表示札８を撮像した場合、撮像された表示札８の札識別情報８５に基づいて、その表示札８を管理する処理を行う制御部と、を有する。【選択図】図１
2014048752.tif 000002
【特許請求の範囲】
【請求項１】
表示札に関する処理を行う表示札処理システムであって、
表示札それぞれに割り当てられた札識別情報と、前記表示札に表示される情報とを関連付けて記憶する記憶部と、
札識別情報と前記表示札に表示される情報とを表示した表示札を生成する生成部と、
掲示された表示札を撮像する撮像部と、
前記撮像部により表示札を撮像した場合、撮像された表示札の前記札識別情報に基づいて、該表示札を管理する処理を行う制御部と、
を有することを特徴とする表示札処理システム。
【請求項２】
前記表示札は、商品に対応して掲示される商品価格表示札であって、
前記記憶部は、少なくとも商品の価格が表示される商品価格表示札それぞれに割り当てられた札識別情報と前記商品に関する商品情報とを関連付けて記憶し、
前記生成部は、札識別情報と商品情報とを表示した商品価格表示札を生成し、
前記撮像部は、前記掲示された商品価格表示札を撮像し、
前記制御部は、前記撮像部により商品価格表示札を撮像した場合、撮像された前記商品価格表示札の前記札識別情報に基づいて、該商品価格表示札を管理する処理を行うことを特徴とする請求項１に記載の表示札処理システム。
【請求項３】
前記記憶部は、商品識別情報と、前記札識別情報と、前記商品情報とを関連付けて記憶し、
前記生成部は、前記商品価格表示札を印字して発行し、発行時に札識別情報を生成する発行部であり、商品の商品識別情報と、前記商品情報と、前記札識別情報とを関連付けて印字して、前記商品価格表示札を発行することを特徴とする請求項２に記載の表示札処理システム。
【請求項４】
前記制御部は、前記撮像部により商品価格表示札を撮像した場合、撮像された前記商品価格表示札の札識別情報に基づいて、前記商品価格表示札の商品情報の有効または無効を判断する処理を行うことを特徴とする請求項２または請求項３に記載の表示札処理システム。
【発明の詳細な説明】
【技術分野】
【０００１】
本発明は、表示札処理システムに関する。
【背景技術】
【０００２】
スーパーマーケット等の売り場の陳列棚に商品が陳列され、その商品の近傍位置に値札が配置されている。
スーパーマーケットでは、週末などに期間限定の特売セールを実施することがある。この場合、商品の陳列棚には、通常の価格の値札でなく、特売セール用の値札が商品近傍に配置される。お客はその特売セール用の値札を見ることで、特売価格であることを認識する。
特許文献１には、賞味期限に対応した値引きラベル（値札）を発行する値札発行装置が記載されている。
【先行技術文献】
【特許文献】
【０００３】
【特許文献１】特開２００１−６３１５３号公報
【発明の概要】
【発明が解決しようとする課題】
【０００４】
ところで、特売用の商品の値札に表示された価格と、精算装置でスキャンされた商品の特売用の値札の価格とが一致することが必要である。
しかしながら、店員が、商品の商品識別情報としてのＪＡＮコードなどのバーコードをバーコードスキャナで読み取り、その商品識別情報に関連付けられた商品の価格と、実際に陳列棚に新たに設置された特売用値札により示される価格とが一致するか否かを、目視により確認する作業を行うことを要する。
このため、陳列棚などに掲示された棚札（値札）が有効であるか否かを確認する際の負担を低減することが望まれている。
【０００５】
また、実際に店舗内の陳列棚に陳列される商品の位置は、入荷した商品の種類、商品の個数、特売対象商品などの商品の販売条件により、商品の陳列位置が設定される。
一般的に、実際に陳列棚に陳列位置されている商品の情報を取得するには、陳列棚における棚位置情報を入力し、且つ、実際に陳列されている商品の商品識別情報（ＪＡＮコードなど）をバーコードスキャナで読み取ることで行う。
しかしながら、陳列棚に陳列されている商品の陳列位置を正しく、且つ、迅速に取得することができない場合があった。また、表示売価の確認が前記のように面倒であった。
【０００６】
本発明は、上述した問題に鑑みてなされたもので、店舗内などで、商品に対応して掲示される棚札やＰＯＰ広告などの表示札を、簡単な構成で管理することができる表示札処理システムを提供すること、などを目的とする。
【課題を解決するための手段】
【０００７】
本発明の表示札処理システムは、表示札に関する処理を行う表示札処理システムであって、表示札それぞれに割り当てられた札識別情報と、前記表示札に表示される情報とを関連付けて記憶する記憶部と、札識別情報と前記表示札に表示される情報とを表示した表示札を生成する生成部と、掲示された表示札を撮像する撮像部と、前記撮像部により表示札を撮像した場合、撮像された表示札の前記札識別情報に基づいて、該表示札を管理する処理を行う制御部と、を有することを特徴とする。
上記本発明の表示札処理システムは、制御部が、撮像部により撮像した表示札に表示された札識別情報に基づいて、制御部が表示札を管理するので、簡単な構成で表示札を管理することができる。
【発明の効果】
【０００８】
本発明によれば、店舗内などで、商品に対応して掲示される棚札やＰＯＰ広告などの表示札を、簡単な構成で管理することができる表示札処理システムを提供することができる。
【図面の簡単な説明】
【０００９】
【図１】本発明の実施形態に係る表示札処理システムにおける棚に配置される商品と商品に対応する棚札（表示札）が設置された棚の一例を示す図。
【図２】本発明の実施形態に係る表示札処理システムにおける商品陳列棚に設けられる棚札（表示札）の一例を示す図、（ａ）は札識別情報が記された表示札の一例を示す図、（ｂ）は異なる札識別情報が記された特別セール用の棚札の一例を示す図。
【図３】本発明の実施形態に係る表示札処理システムの一例を示す図。
【図４】本発明の実施形態に係る表示札処理システムのカメラ付の携帯端末の一例を示す図。
【図５】本発明の実施形態に係る表示札処理システムの管理装置の電気的なブロック図。
【図６】本発明の実施形態に係る表示札処理システムで用いられる商品ファイル（商品マスタ）の一例を示す図。
【図７】本発明の実施形態に係る表示札処理システムで用いられる発行履歴ファイルの一例を示す図。
【図８】本発明の実施形態に係る表示札処理システムで用いられる産地ファイルの一例を示す図。
【図９】本発明の実施形態に係る表示札処理システムで用いられる棚ファイルの一例を示す図。
【図１０】本発明の実施形態に係る表示札処理システムの不一致リストの一例を示す図。
【図１１】本発明の実施形態に係る表示札処理システムの動作の一例を説明するための図。
【図１２】本発明の実施形態に係る表示札処理システムの棚ファイル生成処理の動作の一例を示すフローチャート。
【図１３】本発明の実施形態に係る表示札処理システムの表示札のチェック時の動作の一例を示す図。
【図１４】本発明の実施形態に係る表示札処理システムの表示札のチェック時の動作の一例を示すフローチャート。
【図１５】本発明の実施形態に係る表示札処理システムのデータベースの更新処理に関する処理の一例を示すフローチャート。
【発明を実施するための形態】
【００１０】
本発明の実施形態に係る表示札処理システムを、図面を参照しながら説明する。
【００１１】
本発明の実施形態に係る表示札処理システムを、スーパーマーケットやコンビニエンスストアなどの店舗内の商品陳列に関するシステムに採用した場合を説明する。
【００１２】
図１は、本発明の実施形態に係る表示札処理システム１００における商品陳列棚１に配置される商品と商品に対応する棚札（表示札）８が設置された商品陳列棚１の一例を示す図である。図２は、本発明の実施形態に係る表示札処理システム１００における商品が陳列される商品陳列棚１に設けられる棚札（表示札）８の一例を示す図である。詳細には、図２（ａ）は札識別情報８５が記された表示札８の一例を示す図、図２（ｂ）は図２（ａ）とは異なる札識別情報８５が記された表示札８の一例を示す図である。
【００１３】
＜商品陳列棚１＞
図１に示したように、商品陳列棚１は、複数の商品２を多段状に陳列するために、上下方向に複数段形成されている。商品陳列棚１は、各段に水平方向に、商品の種類毎に列が区画されている。
本実施形態に係る商品陳列棚１は、「段」と「列」とによりマトリクス状の陳列位置を特定できるように構成されている。この商品陳列棚１の「段」と「列」とにより特定される各陳列位置の前面に、各商品に対応した表示札８が設置されている。
【００１４】
＜表示札８＞
図２（ａ）、図２（ｂ）に示したように、例えば、表示札８としての商品価格表示札には、商品情報としての商品の名称８１や商品の価格（値段）８２、商品識別情報８３、表示札８それぞれに割り当てられた札識別情報８５、などが所定の用紙に印字されている。尚、商品近傍に配置される表示札８には、札識別情報８５や商品の価格８２などが印字される。店舗内などで掲示される、ＰＯＰ広告などの表示札８には、例えば、季節の挨拶、限られた期間に掲示される「歳末セール」などの文字列などの情報が表示される。
尚、本実施形態では、表示札８は、所定の用紙に札識別情報８５や商品の価格８２などが印字されたものであるが、この形態に限られるものではない。例えば、表示札８は、電子ペーパ、制御部、通信部などを備える電子棚札であってもよい。表示札８として電子棚札を採用した場合、表示部としての電子ペーパに札識別情報８５や商品の価格８２などが表示されていればよい。
【００１５】
商品の価格（値段）８２は、商品の価格情報であり、季節、月日、時間、販売状況などにより、通常価格、期間限定価格、タイムセール用価格、特別価格などに適宜設定される。
商品識別情報８３は、商品それぞれに割り当てられた識別情報であり、例えば、ＪＡＮコードや、店舗の管理装置により独自に商品に割り当てられた識別情報などである。
商品識別情報８３は、表示札８に直接印字されていてもよいし、シールなどで表示札８に貼付されていてもよい。また、表示札８には、商品識別情報８３が数字や文字などにより印字されていてもよいし、商品識別情報８３を示すバーコード８３ａ、２次元コードなどが印字されていてもよい。
表示札８に印字された商品識別情報８３は、例えば、商品の補充のために、店員などにより携帯される携帯端末やハンディスキャナなどにより読み取られ、商品陳列棚１の所定位置に補充すべき商品の個数情報や、商品陳列棚１の所定位置の商品の現在の個数情報などと共に管理装置１０などに送信される。管理装置１０は、表示札８の商品識別情報８３と上記商品の個数情報に基づいて、商品２の個数などを管理する。
【００１６】
札識別情報８５は、表示札８それぞれに割り当てられている。この札識別情報８５は、店舗の管理装置や札発行制御装置（ＰＯＰ発行コントローラ）などにより割り当てられる。本実施形態では、札識別情報８５は、表示札８の発行順に連番となるようにシーケンシャル番号（ＳＥＱ）が割り当てられている。
尚、札識別情報８５は、表示札８毎に、数字、英字、記号などのランダムな組み合わせで表現される文字列が割り当てられてもよい。また、札識別情報８５は、各表示札８毎に、規定のルールに基づいて割り当てられてもよい。
表示札８には、札識別情報８５を示す数字や英文字、記号などが直接印字されてもよいし、札識別情報８５がシールなどにより表示札８に貼付されてもよい。また、表示札８には、札識別情報８５を示すバーコード、２次元コードなどが印字されていてもよい。
【００１７】
本実施形態では、札識別情報８５を示すカラーコード８５ａが表示札８（用紙）に印字されている。
カラーコード８５ａは、複数のセルが列またはマトリクス状に配置され、各セルに、シアン、ブラック、イエロー、マゼンダ、グリーン、レッド、オレンジ、ブルー、などの予め規定した色が割り当てられている。本実施形態では、各札識別情報８５に対応するように、カラーコード８５ａの各セルの色の組み合わせが規定されている。図２（ａ）、図２（ｂ）には、カラーコード８５ａの各セルの色を、各色に対応した各種ハッチングにより示している。
この札識別情報８５を示すカラーコード８５ａは、インクジェット式カラープリンタ、カラーレーザープリンタなどにより容易に印字することができる。
【００１８】
本発明の実施形態に係る表示札処理システム１００では、表示札８に札識別情報８５としてカラーコード８５ａが印字され、そのカラーコード８５ａを店内設置のカメラである撮像部３０や携帯端末の撮像部などにより撮像する。このため、表示札８とこの表示札８を撮像する撮像部３０との間の距離が、例えば１０ｃｍ〜３０ｍ程度の距離であっても、撮像部３０による札識別情報８５の認識率が高い。
また、カラーコード８５ａを用いることで、表示札処理システム１００は、撮像部３０により短時間に札識別情報８５を認識可能に構成されている。また、この表示札処理システム１００は、撮像部３０により、複数の表示札８それぞれに印字された札識別情報８５を同時に認識可能に構成されている。
【００１９】
上記表示札８は、商品陳列棚１に陳列された商品２の近傍に配置されていたが、この形態に限られるものではない。例えば、床やワゴンなどに山積された商品２の近傍に、表示札８が配置されていてもよい。また、支柱とその支柱上部付近に設置された固定具とを有する掲示物固定具により、表示札８が掲示されてもよい。また、表示札８は、店内の壁などに掲示されたＰＯＰ広告用紙などであってもよい。また、表示札８は、天井などから吊るされていてもよい。
【００２０】
＜表示札処理システム１００の全体構成＞
図３は、本発明の実施形態に係る表示札処理システム１００の一例を示す全体図である。表示札処理システム１００は、図３に示したように、管理装置１０と、精算装置２０と、撮像部３０と、札発行制御装置（ＰＯＰ発行コントローラ）５０と、プリンタ部６０と、などを有する。
管理装置１０と、精算装置２０と、撮像部３０と、札発行制御装置５０となどは、ＬＡＮなどの有線式や無線式の通信路７を介してデータ通信可能に接続されている。また、撮像部３０の撮像方向などを制御するカメラコントローラ４０が通信路７を介して管理装置１０に接続されている。発行部６としての札発行制御装置５０とプリンタ部６０とは、データ通信可能に接続されている。また、タッチパネル表示部およびカメラ機能を備えた携帯端末７０が、アクセスポイントとしての無線装置７１および通信路７を介して管理装置１０などとデータ通信可能に接続されている。
【００２１】
＜管理装置１０＞
制御部としての管理装置１０は、各装置などを統括的に管理や制御を行う。管理装置１０は、例えば、店舗のバックヤードなどに配置されている。管理装置１０は、記憶部を有し、この記憶部内のデータベースに商品マスタ（商品ファイル）、発行履歴ファイル、産地ファイル、棚ファイル、管理ファイル、などの各種データを記憶している。
また、後述するように、生成部（発行部）としての札発行制御装置５０やプリンタ部６０は、表示札（棚札）発行時、札識別情報、商品コード（商品識別情報）、発行者情報、発行日時情報、使用期限情報などを関連付けて発行履歴ファイルを生成し、それを記憶する。管理装置１０は、その発行履歴ファイルを札発行制御装置５０などから受信して、それを記憶部のデータベースに記憶して管理を行う。
また、管理装置１０の制御部（ＣＰＵ）は、撮像部３０により表示札８の札識別情報８５に基づいて、その表示札８を管理する処理を行う。また、管理装置１０は、撮像部３０により撮像された表示札８の札識別情報８５に基づいて、その商品情報の有効または無効を判断する処理を行う。例えば、管理装置１０は、撮像部３０により撮像された表示札８の札識別情報８５に基づいて、発行履歴ファイルを参照して札識別情報に関連付けられた商品コード（商品識別情報）８３や商品情報（Ａ）を取得し、且つ、その商品コード（商品識別情報）８３を用いて商品マスタを参照して、商品コード（商品識別情報）８３に関連付けられた商品情報（Ｂ）などを取得し、この商品情報（Ａ）と商品情報（Ｂ）とを比較することで、表示札８の有効または無効を判断する処理を行う。具体的には、例えば、管理装置１０の制御部（ＣＰＵ）は、商品情報（Ａ）と商品情報（Ｂ）とが一致している場合、その表示札８が有効であると判断し、商品情報（Ａ）と商品情報（Ｂ）とが一致しない場合、その表示札８が無効であると判断する。
また、管理装置１０の制御部（ＣＰＵ）は、撮像部３０により表示札８を撮像した場合、撮像された表示札８の札識別情報８５に関連付けられている使用期限情報と、計時部により計時された撮像時の日時情報に基づいて、撮像された表示札８が有効か無効かを判断し、判断結果を報知する処理を行う。
【００２２】
また、管理装置１０はサーバ機能を有し、精算装置２０や札発行制御装置５０などからの要求に応じて、要求元の装置に所定のデータを提供する。
管理装置１０の記憶部としてのデータベースは、ＪＡＮコードなどの商品識別情報８３と、価格情報や産地情報などの商品情報と、札識別情報８５と、表示札８の使用期限情報と、表示札８の発行情報（発行日時、発行者ＩＤ等）と、などを関連付けて記憶している。管理装置１０の詳細な機能については後述する。
【００２３】
＜精算装置２０＞
精算装置２０は、客により購入された１つまたは複数の商品の精算を行う装置である。精算装置２０は、バーコードスキャナ２１などを備えている。精算装置２０は、バーコードスキャナ２１により、商品のパッケージなどに印字されている商品識別情報８３としてのバーコード（ＪＡＮコード）をスキャンした場合、管理装置１０の記憶部に記憶された商品マスタ（商品ファイル）を参照して、スキャンにより取得した商品識別情報に関連付けられた商品の価格や産地情報などの商品情報を通信路７を介して受信し、精算装置２０の表示部に表示するとともに、各商品の価格を加算し、精算後、精算装置２０の印字部により、各商品の名称と価格を印字したレシートなどをレシート発行装置により発行する。
【００２４】
なお、精算装置２０は、精算装置２０内の記憶部に商品マスタ（商品ファイル）を記憶してもよい。この精算装置２０内の記憶部に記憶された商品マスタ（商品ファイル）は、管理装置１０内の記憶部のデータベースに記憶された商品マスタ（商品ファイル）と同期されて同じ内容となっている。この場合、精算装置２０は、精算装置２０内の記憶部に記憶された商品マスタなどを参照し、バーコードスキャナ２１により取得された商品識別情報に関連付けられた、商品価格などの商品情報を、精算装置２０の表示部や印字部に出力する。
【００２５】
＜撮像部３０＞
撮像部３０は、直接、または、カメラコントローラ４０や通信路７などを介して管理装置１０などとデータ通信可能に接続されている。撮像部３０は、店舗の天井や壁などの規定位置に設置されている。図１に示したように、店舗内には、商品陳列棚１が配置され、商品２の近傍の規定位置に表示札８が掲示されている。撮像部３０は、その表示札８を光学的に撮像して、その表示札８の札識別情報８５を取得し、その札識別情報８５を管理装置１０（制御部）に送信する。
表示札８に印字された札識別情報８５としてカラーコード８５ａを採用した場合、その札識別情報８５としてのカラーコード８５ａを認識可能な撮像部３０を採用する。この場合、撮像部３０は、複数の透過波長の異なるカラーフィルターと、各カラーフィルターを透過した光を受光するイメージセンサなどを有する。
表示札８に、札識別情報８５としてバーコードが印字されている場合、撮像部３０としては、その札識別情報８５としてのバーコードを認識可能なバーコードリーダやイメージセンサなどを採用する。
表示札８に、札識別情報８５として２次元コード（単色）が印字されている場合、撮像部３０としては、その札識別情報８５としての２次元コード（単色）を認識可能な２次元イメージセンサなどを採用する。
【００２６】
＜カメラコントローラ４０＞
カメラコントローラ４０は、複数のモータと、撮像部３０を所望の撮像方向となるように回転自在に支持する機構となどを有し、管理装置１０などの制御により、表示札８などを撮像するように、撮像部３０の撮像方向などを制御する。
詳細には、カメラコントローラ４０は、管理装置１０の制御により、管理装置１０から、撮像部３０の撮像方向に関して仰角、方位角、撮像距離などを制御させるための制御信号を受信した場合、その制御信号に基づいて撮像部３０の撮像方向を制御する。
【００２７】
＜札発行制御装置５０＞
札発行制御装置５０は、プリンタ部６０を介して、商品情報、札識別情報８５などを所定の用紙に印字して、表示札８を発行する処理を行う。この札発行制御装置５０は、一般的なコンピュータなどで構成されている。詳細には、札発行制御装置５０は、ＣＰＵと、記憶部と、通信部と、入出力部と、などを有する。
また、札発行制御装置５０は、表示札８を発行する場合、各表示札８それぞれに札識別情報８５を割り当て、その札識別情報８５と、商品２の商品識別情報（ＪＡＮコードなど）と、商品情報と、などを関連付けて、札発行制御装置５０内の記憶部に記憶する。
また、札発行制御装置５０は、表示札８を発行した場合、所定のタイミングで、札識別情報と商品識別情報と商品情報となどを関連付けて通信路７を介して管理装置１０に送信する。管理装置１０は、その札識別情報と商品識別情報と商品情報となどを受信した場合、それらを関連付けて、管理装置１０の記憶部のデータベースなどに記憶する。
【００２８】
プリンタ部６０は、札発行制御装置５０の制御により、札識別情報８５、商品情報などを所定の用紙に印字して、表示札８を発行する。
プリンタ部６０は、札識別情報８５としてカラーコードを採用する場合、カラー印字可能に構成されている。この場合、プリンタ部６０としては、インクジェット式カラープリンタ、カラーレーザープリンタなどを採用することができる。
また、プリンタ部６０は、札識別情報８５としてバーコード、２次元コードを表示札８に印字してもよい。
【００２９】
＜携帯端末７０＞
図４は、本発明の実施形態に係る表示札処理システム１００のカメラ付の携帯端末７０の一例を示す図である。
携帯端末７０は、一般的なコンピュータと同様な構成であり、無線装置７１などを介して管理装置１０などとデータ通信可能な通信部と、撮像部と、タッチパネルなどの入力部と、表示部と、記憶部と、ＣＰＵと、などを有する。携帯端末７０は、店舗の店員などにより操作され、表示札８を撮像して、札識別情報や商品識別情報（ＪＡＮコードなど）を取得し、管理装置１０に送信する。
【００３０】
詳細には、図４に示したように、携帯端末７０は、カメラ付タブレット型携帯端末装置などであり、矩形板状の本体部７０ａの背面側にカメラなどの撮像部７３が設けられ、本体部７０ａの正面側にタッチパネル表示部７４が設けられている。
【００３１】
図４に示したように、携帯端末７０は、商品陳列棚１や表示札８などを撮像部７３で撮像した場合、タッチパネル表示部７４に商品陳列棚１を表示するとともに、撮像された表示札８に印字された札識別情報８５と、その札識別情報８５に関連付けられている商品の名称、商品の価格などの商品情報を、タッチパネル表示部７４に表示することが可能である。
つまり、この携帯端末７０は、管理装置１０や撮像部３０などの本発明に係る機能を備えたものであってもよい。
【００３２】
＜管理装置１０の構成＞
次に、管理装置１０の電気的な構成の一例を説明する。
図５は、本発明の実施形態に係る表示札処理システム１００の管理装置１０の電気的なブロック図である。
管理装置１０は、制御部１１と、通信部１２と、記憶部１３と、入力部１４と、表示部１５と、計時部１６と、などを有する。
【００３３】
制御部１１は、制御プログラムを実行することにより、各構成要素を統括的に制御する。制御部１１の詳細な機能に関しては後述する。
通信部１２は、制御部１１の制御により、精算装置２０、撮像部３０、カメラコントローラ４０、札発行制御装置５０などとデータ通信を行う。
【００３４】
記憶部１３は、ＲＡＭ、ＲＯＭなどの半導体メモリ、ハードディスクドライブなどで構成され、制御プログラム（ＰＲＧ）、各種データ、などを記憶する。制御プログラムは、制御部１１により実行され、コンピュータとしての管理装置１０に、本発明に係る機能を実現させる。各種データとしては、商品ファイル（商品マスタ）、発行履歴ファイル、産地情報、棚ファイル、不一致リスト、店内マップ、管理ファイルなどを挙げることができる。
【００３５】
図６は、表示札処理システム１００で用いられる商品ファイル（商品マスタ）の一例を示す図である。図６に示したように、商品マスタとしての商品ファイルは、商品識別情報８３としての商品コード（ＪＡＮコードなど）と、商品名称と、商品の売値（価格）と、産地情報（産地番号）と、などを関連付けて記憶する。これら商品ファイルの情報は、入力部１４からの操作入力信号や、通信部１２を介して受信した情報に基づいて、適宜、新規に作成、更新、削除などが行われる。
【００３６】
図７は、本発明の実施形態に係る表示札処理システム１００で用いられる発行履歴ファイルの一例を示す図である。
図７に示したように、発行履歴ファイルは、札識別情報８５と、商品識別情報８３としての商品コード（ＪＡＮコードなど）と、商品名称と、商品の売値（価格）と、産地情報（産地番号）と、表示札８の発行時の発行者情報（発行者ＩＤ）と、発行日時情報と、使用期限情報（使用開始日時情報、使用終了日時情報）と、などを関連付けて記憶する。使用期限情報の使用終了日時情報としては、期限を定めないもの（無期限）であってもよい。これら発行履歴ファイルは、例えば、生成部（発行部）としての札発行制御装置５０やプリンタ部６０により生成され、管理装置１０の記憶部のデータベースに記憶して管理される。発行履歴ファイルは、入力部１４からの操作入力信号や通信部１２を介して受信した情報に基づいて適宜、修正、更新、削除などが行われる。
【００３７】
図８は、表示札処理システム１００で用いられる産地ファイルの一例を示す図である。図８に示したように、産地ファイルは、産地情報（産地番号）と、商品の産地名称とを関連付けて記憶している。この産地ファイルは、図６や図７に示した商品ファイル中の産地情報（産地番号）と関連付けられている。
【００３８】
図９は、表示札処理システム１００で用いられる棚ファイルの一例を示す図である。図９に示したように、棚ファイルは、棚番号と、段番号と、列番号と、札識別情報と、一致フラグと、などを関連付けて記憶している。
【００３９】
棚番号は、棚それぞれに割り当てられた番号である。段番号は、例えば図１に示したように、下から順に１段目、２段目、・・・、などと割り当てられた番号である。列番号は、例えば、左から順に１列目、２列目、・・・、などと割り当てられた番号である。
【００４０】
札識別情報８５は、表示札８それぞれに割り当てられた、その表示札８を示す情報である。
一致フラグは、例えば、撮像部３０により撮像された画像に基づいて生成した棚ファイルの商品情報（価格）と、商品マスタ（商品ファイル）と、を比較した結果、商品情報などが一致した場合、それが一致したことを示すフラグとして“０”が設定される。また、それが不一致の場合、不一致であることを示すフラグとして“１”が一致フラグに設定される。
【００４１】
マップは、撮像部３０による表示札８の撮像時、表示札８の位置情報を生成する際に参照される。このマップは、商品２が配置された商品陳列棚１などの位置情報と、商品陳列棚１の棚番号および段番号と、撮像部３０の位置情報と、などを関連付けて記憶する。
【００４２】
図４に示した入力部１４は、タッチパネル、キーボード、マウスなどの入力装置であり、操作入力信号を制御部１１に出力する。
【００４３】
表示部１５は、制御部１１の制御により、各種データなどを表示する。表示部１５は、制御部１１の制御により、本発明に係る各種データなどを表示する。
【００４４】
計時部１６は、年月日情報、時刻情報などの時間情報を計時する。制御部１１は、例えば、表示札８の使用期限情報に基づいて、その表示札８の有効または無効を判断する場合など、計時部１６で計時された時間情報を参照する。
【００４５】
図５に示した管理装置１０の制御部１１は、制御プログラム（ＰＲＧ）を実行することにより、各種機能を実現する。
制御部１１は、管理処理部１１１と、札掲示一覧情報処理部１１２と、比較処理部１１３と、報知処理部１１４と、などを有する。
【００４６】
管理処理部１１１は、撮像部３０により表示札８を光学的に撮像した場合、撮像された表示札８の札識別情報８５に基づいて、その表示札８を管理する処理を行う。
管理処理部１１１は、撮像部３０により表示札８を撮像した場合、例えば、撮像された表示札８の札識別情報８５に関連付けられている使用期限情報と、計時部１６により計時された時間情報に基づいて、撮像された表示札８が有効か無効かを判断する処理を行い、報知処理部１１４により判断結果を報知する処理を行う。
【００４７】
また、管理処理部１１１は、商品識別情報に関連付けられた商品情報を更新する場合、記憶部１３に記憶された更新前の商品情報に関連付けられた使用期限情報を使用期限外を示す情報に設定し、且つ、新たな商品情報の使用期限を設定し、札識別情報８５と商品識別情報８３と新たな商品情報とを印字した表示札８を、発行部としての札発行制御装置５０およびプリンタ部６０により発行する処理を行う。
【００４８】
比較処理部１１３は、例えば記憶部１３に記憶された、店舗内に掲示されるべき表示札８の札識別情報８５（比較対象であり基準となる）と、撮像部３０で撮像された表示札８の札識別情報８５と、を比較する処理を行い、比較の結果を報知処理部１１４により、表示部や発音部（不図示）で報知する処理を行う。
【００４９】
札掲示一覧情報処理部１１２は、撮像部３０により表示札８を撮像した場合、商品マスタ（商品ファイル）を参照して、撮像された表示札８の札識別情報８５に関連付けられた商品情報に基づいて、基準となる商品情報との一致または不一致に関する情報を報知する処理を行う。尚、上述したように、記憶部１３は、商品識別情報８３や商品情報などを関連付けて記憶する商品マスタ（商品ファイル）を記憶している。
【００５０】
また、制御部１１は、撮像部３０により撮像された陳列棚１に配置された表示札８の札識別情報８５と、撮像部３０の撮像方向とマップに応じて算出された該表示札８の位置情報とに基づいて、表示札８の位置を示す札位置情報を生成する処理を行う。尚、上述したように記憶部１３は、商品２が配置された陳列棚１の位置情報と、陳列棚１の棚番号および段番号と、撮像部３０の位置情報と、を関連付けてマップに記憶している。
【００５１】
また、制御部１１は、撮像部３０により撮像された表示札８の札識別情報に基づいて、札識別情報８５に関連付けられた表示札８の日時情報、または、発行者ＩＤの管理に関する処理を行う。尚、上述したように、記憶部１３は、少なくとも、表示札８の発行時の日時情報や発行者ＩＤなどの発行情報と、表示札８の札識別情報８５と、を関連付けて記憶している。
【００５２】
また、記憶部１３は、商品識別情報と、札識別情報と、商品情報と、を関連付けて記憶する、基準となる札掲示一覧情報を有する。
制御部１１は、撮像部３０により表示札８を撮像した場合、商品マスタを参照し、撮像された表示札８の札識別情報８５に基づいて札識別情報８５に関連付けられた、基準となる商品情報の有効または無効を判断する処理を行う。
また、制御部１１は、撮像部３０により表示札８を撮像した場合、札掲示一覧情報を参照して、撮像された表示札８の札識別情報に関連付けられた商品情報に基づいて、一致または不一致に関する情報を報知する。
【００５３】
制御部１１は、精算装置２０から送信された、商品識別情報（ＪＡＮコードなど）に対応する価格情報などの商品情報を要求する信号を受信した場合、記憶部１３に記憶されている商品マスタ（商品ファイル）を参照して、商品識別情報（ＪＡＮコードなど）に関連付けられた商品の価格情報などの商品情報を、要求元の精算装置２０に送信する。
【００５４】
＜表示札処理システム１００の動作＞
次に、本発明の実施形態に係る表示札処理システム１００の表示札８の発行時の動作の一例を説明する。
図１１は、本発明の実施形態に係る表示札処理システム１００の動作の一例を説明するための図である。
札発行制御装置（ＰＯＰ発行コントローラ）５０は、設定ファイルや操作入力信号などに基づいてプリンタ部６０を介して表示札８を発行する。
詳細には、札発行制御装置５０は、各表示札８に札識別情報８５として順番にシーケンス番号（ＳＥＱ）などを割り当て、商品の名称や価格などの商品情報、必要に応じて商品識別情報（ＪＡＮコード）とともにプリンタ部６０により印字を行う。
札発行制御装置（ＰＯＰ発行コントローラ）５０は、札識別情報８５、商品の名称や価格などの商品情報、商品識別情報８３を関連付けて、管理装置１０に送信する。管理装置１０では、札発行制御装置５０から受信した、札識別情報８５、商品情報、商品識別情報８３を関連付けて、記憶部１３に記憶する。
【００５５】
また、札発行制御装置５０は、発行時、操作入力部などから入力された表示札８の使用期限情報を、札識別情報８５などと関連付けて管理装置１０に送信してもよい。
尚、管理装置１０が、札発行制御装置（ＰＯＰ発行コントローラ）５０やプリンタ部６０を介して表示札８を介して表示札８を発行してもよい。また、表示札８の発行後、管理装置１０が、操作入力部からの操作入力信号などに基づいて、表示札８の使用期限情報を設定し、札識別情報８５などと関連付けて記憶してもよい。
店舗の店員などは、商品の近傍などに、その商品に関する上記表示札８を掲示する。
【００５６】
＜表示札８の棚ファイル生成処理の動作＞
図１２は、本発明の実施形態に係る表示札処理システム１００の棚ファイル生成処理の動作の一例を示すフローチャートである。
次に、管理装置１０の制御部１１は、店舗の天井や壁などに設置された撮像部３０が、店内に掲示された商品価格表示札などの表示札８を撮像する処理を行う。
【００５７】
詳細には、ステップＳ１１において、管理装置１０の制御部１１は、撮像部３０により、商品陳列棚１の表示札８を撮像する。具体的には、制御部１１は、図１に示したように、商品陳列棚１の左上などの規定位置に設けられた、スキャンの初期位置コード（棚番号、列番号を含む）を示すカラーコード８７が印字された札を撮像する。制御部１１は、撮像部３０が初期位置コード情報を読み取った場合、撮像部３０が、商品陳列棚１の左上などの規定位置を撮像していると判断する。
この際、制御部１１は、店内の棚の位置や撮像部３０の設置位置などを示すマップに基づいて、初期の撮像方向を決定してもよい。
【００５８】
ステップＳ１３において、管理装置１０の制御部１１は、移動指示コードを示すカラーコード８７を読み取ったか否かを判断する。制御部１１は、移動指示コードを読み取ったと判断した場合、ステップＳ１５の処理に進み、移動指示コードを読み取らないと判断した場合、ステップＳ１７の処理に進む。
【００５９】
ステップＳ１５において、管理装置１０の制御部１１は、移動指示コードに基づいて、カメラコントローラ４０により駆動モータ（不図示）を駆動して、例えば、商品陳列棚１毎に表示札８を順次撮影するように、撮像部３０の撮像方向として仰角や方位角などを制御する。
【００６０】
ステップＳ１７において、管理装置１０の制御部１１は、札識別情報８５を読み取ったか否かを判断し、読み取ったと判断した場合、ステップＳ１９の処理に進み、読み取らないと判断した場合、ステップＳ１３の処理に進む。
【００６１】
ステップＳ１９において、管理装置１０の制御部１１は、札識別情報８５と、取得した位置情報（例えば、撮像部３０の撮像方向に関して仰角、方位角、撮像距離などの情報と、店内の商品陳列棚１の位置や撮像部３０の設置位置を示すマップなどにより決定される）とを取得し、図１１に示したように、札識別情報８５と、位置情報とを関連付けて棚ファイルとして記憶部１３に記憶させる（書き込む）。
【００６２】
ステップＳ２１において、管理装置１０の制御部１１は、終了コードを示すカラーコード８７を読み取ったか否かを判断し、終了コードを読み取っていないと判断した場合、ステップＳ１３の処理に進み、終了コードを読み取ったと判断した場合、その棚などに掲示された表示札８に関する位置情報の取得などに関する処理を終了する。
本実施形態では、図１に示したように、商品陳列棚１の左上の棚段から右方向に順に表示札８を撮像し、商品陳列棚１の右端に到達した場合、下の段の表示札８を左方向に順に撮像し、商品陳列棚１の左端に到達した場合、下の段の表示札８を右方向に順にスキャンする。
管理装置１０の制御部１１は、商品陳列棚１の全ての表示札８に関して撮像が終了した場合、次の商品陳列棚１に関して同様な撮像処理を行う。管理装置１０の制御部１１は、店舗内の全ての表示札８に関して撮像が終了したと判断した場合、スキャン処理を終了する。
上述した処理により、図１１に示したように、管理装置１０は、店舗内の全ての表示札８に関して、各表示札８の札識別情報８５と、表示札８の位置情報と、を関連付けて容易に記憶部１３に記憶することができる。
【００６３】
尚、撮像部３０による各表示札８のスキャンのルートは上述した形態に限られるものではなく、各種任意のルートによりスキャンを行ってもよい。
また、制御部１１は、店舗内の全ての表示札８に関して撮像をするのではなく、指定されたエリアに掲示されている表示札８に関して撮像をしてもよい。
【００６４】
＜表示札８のチェック時の動作＞
図１３は、本発明の実施形態に係る表示札処理システム１００の表示札８のチェック時の動作の一例を示す図である。図１４は、表示札処理システム１００の表示札８のチェック時の動作の一例を示すフローチャートである。
【００６５】
ステップＳ３１において、管理装置１０の制御部１１は、撮像部３０により、商品陳列棚１の表示札８を撮像する。具体的には、制御部１１は、図１に示したように、商品陳列棚１の左上などの規定位置に設けられた、スキャンの初期位置コード（棚番号、列番号を含む）を示すカラーコード８７が印字された札を撮像する。制御部１１は、撮像部３０が初期位置コード情報を読み取った場合、撮像部３０が、商品陳列棚１の左上などの規定位置を撮像していると判断する。
【００６６】
ステップＳ３３において、管理装置１０の制御部１１は、移動指示コードを示すカラーコード８７を読み取ったか否かを判断する。制御部１１は、移動指示コードを読み取ったと判断した場合、ステップＳ３５の処理に進み、移動指示コードを読み取らないと判断した場合、ステップＳ３７の処理に進む。
【００６７】
ステップＳ３５において、管理装置１０の制御部１１は、移動指示コードに基づいて、カメラコントローラ４０により駆動モータ（不図示）を駆動して、例えば、商品陳列棚１毎に表示札８を順次撮影するように、撮像部３０の撮像方向として仰角や方位角などを制御する。
【００６８】
ステップＳ３７において、管理装置１０の制御部１１は、札識別情報８５を読み取ったか否かを判断し、読み取ったと判断した場合、ステップＳ３９の処理に進み、読み取らないと判断した場合、ステップＳ３３の処理に進む。
【００６９】
ステップＳ３９において、管理装置１０の制御部１１は、撮像部３０により撮像された表示札８の札識別情報８５に基づいて、表示札８を特定する。
【００７０】
ステップＳ４１において、管理装置１０の制御部１１は、撮像部３０により撮像された表示札８の札識別情報８５に基づいて、その表示札８が有効か否かを判断する。
次に、商品価格表示札などの表示札８が有効か否かを判断する具体例を説明する。
制御部１１は、撮像部３０で撮像された商品価格表示札などの表示札８の札識別情報８５を取得し、発行履歴ファイルなどの管理ファイルを参照して札識別情報８５に関連付けられた商品識別情報（ＪＡＮコードなど）や商品情報（Ａ）を取得し、商品マスタを参照して商品識別情報（ＪＡＮコードなど）に関連付けられた商品情報（Ｂ）を取得し、発行履歴ファイルに記憶された価格情報などの商品情報（Ａ）と、商品マスタに記憶された商品情報（Ｂ）とを比較することで、その表示札８が有効か否かを判断する。詳細には、制御部１１は、商品情報（Ａ）と商品情報（Ｂ）とが一致している場合、その表示札８が有効であると判断し、商品情報（Ａ）と商品情報（Ｂ）とが一致しない場合、その表示札８が無効であると判断する。上述したように、この商品情報（Ａ）、商品情報（Ｂ）には、商品の名称、価格情報（売値）、産地情報などのいずれか一つ以上の情報が含まれている。
また、制御部１１は、撮像された表示札８の札識別情報８５に関連付けられている使用期限情報と、表示札８の札識別情報８５を撮像した時に計時部１６により計時されている日時情報に基づいて、撮像された表示札８が有効か無効かを判断する。詳細には、制御部１１は、表示札８の札識別情報８５を撮像した時の日時情報が、札識別情報８５に関連付けられた使用期限情報（使用開始日時情報、使用終了日時情報）により規定される使用期限内である場合、その表示札８が有効であると判断し、使用期限外である場合、その表示札８が無効であると判断する。
このように、発行された一枚づつの用紙に印字されるコード情報に基づき特定される商品コードにおける商品情報と、商品マスタにおける商品コードに対応する商品情報とを比較するようにする。なお、比較の対象は、商品マスタに限らず、他のファイルであってもよい。例えば、セール期間中は特売価格にて商品を販売するため各商品毎に特別売価が設定された特売ファイルを設定し、その特売ファイルにおける商品の商品コードと、前記用紙に印字されたコード情報に基づき特定される商品コードにおける商品情報とを比較するようにしてもよい。そして、発行履歴ファイルには、各表示札８ごとに発行した発行者情報、発行日時も記憶されているので、撮像された札識別情報８５が商品マスタの商品情報（Ｂ）と一致しない場合、その誤った表示札８は誰が、いつ発行したものかを発行することができるので、誤った表示札８の発行履歴を追跡することができる。
【００７１】
制御部１１は、上記判断の結果、表示札８が有効である場合、ステップＳ４３の処理に進み、無効であると判断した場合、ステップＳ４５の処理に進む。
【００７２】
ステップＳ４３において、制御部１１は、表示札８が有効であることを示す“０”フラグをセットし、その表示札８の札識別情報８５に関連付けて記憶部１３に記憶し、ステップＳ４７の処理に進む。
【００７３】
ステップＳ４５において、制御部１１は、表示札８が無効であることを示す“１”フラグをセットし、その表示札８の札識別情報８５に関連付けて記憶部１３に記憶し、ステップＳ４７の処理に進む。
【００７４】
ステップＳ４７において、管理装置１０の制御部１１は、終了コードを示すカラーコード８７を読み取ったか否かを判断し、終了コードを読み取っていないと判断した場合、ステップＳ３３の処理に進み、終了コードを読み取ったと判断した場合、ステップ４９の処理に進む。
【００７５】
ステップＳ４９において、管理装置１０の制御部１１は、例えば、表示札８が無効であることを示す“１”フラグに関連付けられた、札識別情報８５、その札識別情報８５に関連付けられた棚番号、段、列の番号、商品売価などの商品情報などを表示部１５などに表示するなどして、その旨を報知する処理を行う。
【００７６】
＜更新処理＞
図１５は、本発明の実施形態に係る表示札処理システム１００のデータベースの更新処理に関する処理の一例を示すフローチャートである。管理装置１０の記憶部１３のデータベース中の商品価格や産地情報などの商品情報を更新する処理を説明する。
【００７７】
ステップＳ６１において、管理装置１０の制御部１１は、例えば、入力部１４からの操作入力信号に基づいて、商品の商品識別情報に関連付けられた商品情報を更新するか否かを判断し、更新すると判断した場合、ステップＳ６３の処理に進み、更新しないと判断した場合、更新処理を終了する。
【００７８】
ステップＳ６３において、管理装置１０の制御部１１は、商品２の商品識別情報８３に関連付けられた商品情報を更新する場合、記憶部１３に記憶された更新前の商品情報に関連付けられた札識別情報８５の使用期限情報を使用期限外を示す情報に設定する。
【００７９】
ステップＳ６５において、管理装置１０の制御部１１は、新たな商品情報の使用期限を設定する。
【００８０】
ステップＳ６７において、管理装置１０の制御部１１は、札識別情報と商品識別情報と新たな商品情報とを印字した表示札８を、発行部としての札発行制御装置５０やプリンタ部６０などにより発行する処理を行う。
【００８１】
尚、上述した実施形態では、管理装置１０の記憶部１３のデータベース中の商品価格や産地情報などの商品情報を更新する処理を説明したが、この形態に限られるものではない。例えば、管理装置１０の記憶部１３のデータベース中の使用期限情報などを更新する場合であってもよい。
【００８２】
以上、説明したように、本発明の実施形態に係る表示札処理システム１００は、商品２の価格などが表示される表示札８それぞれに割り当てられた札識別情報８５と商品に関する商品情報などの表示札８に表示される情報とを関連付けて記憶する管理装置１０の記憶部１３と、札識別情報８５と商品情報などを表示した表示札８を生成する生成部としての札発行制御装置５０やプリンタ部６０と、掲示された表示札８の札識別情報８５を撮像する撮像部３０と、撮像部３０により表示札８を撮像した場合、撮像された表示札８の札識別情報に基づいて、該表示札８を管理する処理を行う管理装置１０の制御部１１と、を有する。
このため、例えば、店舗内などで、商品に対応して掲示される棚札やＰＯＰ広告などの表示札８を、簡単な構成で管理することができる表示札処理システム１００を提供することができる。
また、簡単な構成で、各表示札８の札識別情報８５を撮像し、その札識別情報８５に基づいて各表示札８それぞれの商品情報をチェックすることが可能である表示札処理システム１００を提供することができる。
【００８３】
また、本発明の実施形態に係る表示札処理システム１００では、管理装置１０の記憶部１３が、商品識別情報８３と、札識別情報８５と、商品情報とを関連付けて記憶する。生成部は、表示札８を印字して発行し、発行時に札識別情報８５を生成する発行部であり、発行部としての札発行制御装置５０やプリンタ部６０は、商品２の商品識別情報８３と、商品情報と、札識別情報とを関連付けて印字して、表示札８を発行する。
このため、簡単な構成で表示札８を発行することができる表示札処理システム１００を提供することができる。
【００８４】
また、本発明の実施形態に係る表示札処理システム１００では、管理装置１０の記憶部１３は、少なくとも商品の価格が表示される表示札８それぞれに割り当てられた札識別情報８５と、その表示札８の使用期限情報とを関連付けて記憶している。管理装置１０の制御部１１は、撮像部３０により表示札８を撮像した場合、撮像された表示札８の札識別情報８５に関連付けられている使用期限情報と、計時部１６により計時された撮像時の日時情報に基づいて、撮像された表示札８が有効か無効かを判断し、その判断結果を報知する処理を行うので、簡単な構成により、表示札８が有効か無効かを上記表示札処理システム１００の管理者や店員などに報知することができる。
【００８５】
また、本発明の実施形態に係る表示札処理システム１００では、管理装置１０の制御部１１は、商品識別情報に関連付けられた商品情報を更新する場合、記憶部１３に記憶された更新前の商品情報に関連付けられた札識別情報の使用期限情報を使用期限外を示す情報に設定し、且つ、新たな商品情報の使用期限を設定し、札識別情報８５と商品識別情報と新たな商品情報とを印字した表示札８を発行部６により発行する処理を行う。
このため、簡単な処理により、表示札８に印字される商品情報を、容易に更新可能な表示札処理システムを提供することができる。
【００８６】
また、本発明の実施形態に係る表示札処理システム１００では、管理装置１０の記憶部１３は、商品識別情報８３と、札識別情報８５と、商品情報と、を関連付けて記憶する商品マスタや発行履歴ファイルなどを有する。管理装置１０の制御部１１は、撮像部３０により表示札８を撮像した場合、商品マスタなどを参照し、撮像された表示札８の札識別情報に基づいて札識別情報に関連付けられた、基準となる商品情報の有効または無効を判断する処理を行う。
こうすることで、容易に、表示札８の札識別情報に関連付けられた商品情報が有効か否か報知可能な表示札処理システム１００を提供することができる。
【００８７】
また、本発明の実施形態に係る表示札処理システム１００では、管理装置１０の制御部１１は、撮像部３０により表示札８を撮像した場合、商品マスタや発行履歴ファイルなどを参照して、撮像された表示札８の札識別情報に関連付けられた商品情報に基づいて、基準となる商品情報との一致または不一致に関する情報を報知する処理を行う。
こうすることで、容易に、表示札８の札識別情報に関連付けられた商品情報が有効か無効かを報知可能な表示札処理システム１００を提供することができる。
【００８８】
また、本発明の実施形態に係る表示札処理システム１００では、管理装置１０の記憶部１３は、商品２が配置された陳列棚１の位置情報と、陳列棚１の棚番号および段番号と、を記憶するマップを有する。
管理装置１０の制御部１１は、撮像部３０により撮像された表示札８の札識別情報８５と、撮像部３０の撮像情報（例えば、撮像部３０の位置情報、撮像方向、商品陳列棚１の規定位置に掲示された棚位置情報（カラーコード）等のいずれか）マップに基づいて算出された該表示札８の位置情報と、に基づいて、陳列棚１などに配置された表示札８の位置を示す札位置情報を生成する処理を行う。
すなわち、簡単な構成で、容易に、表示札８の位置情報と、に基づいて、陳列棚１などに配置された表示札８の位置を示す札位置情報を取得することができる表示札処理システム１００を提供することができる。
具体的には、管理装置１０の制御部１１は、撮像部３０の位置情報、撮像方向に基づいて、表示札８の位置情報を取得してもよいし、撮像部３０の商品陳列棚１の規定位置に掲示された棚位置情報（カラーコード）を撮像することにより、表示札８の位置情報を取得してもよい。
【００８９】
また、本発明の実施形態に係る表示札処理システム１００では、管理装置１０の記憶部１３は、少なくとも、表示札８の発行時の日時情報、発行者ＩＤのいずれかを示す発行情報と、該表示札の札識別情報と、を関連付けて記憶する。管理装置１０の制御部１１は、撮像部３０により撮像された表示札８の札識別情報８５に基づいて、該札識別情報８５に関連付けられた表示札８の日時情報、または、発行者ＩＤの管理を行う。
このため、容易に、表示札８の日時情報や発行者ＩＤの管理を行うことが可能な表示札処理システム１００を提供することができる。
すなわち、表示札８に関するトレーサビリティ（追跡可能性）を容易に実現することができる表示札処理システム１００を提供することができる。詳細には、発行日時、有効期限、発行者ＩＤなどにより表示札８の発行から、掲示状態（有効状態）、破棄（無効状態）までを容易に管理可能である。
【００９０】
また、上記表示札処理システム１００は、季節ごとの商品（札使用期限が札発行日から約４カ月以内など）や、入荷した商品の種類、商品の個数、特売対象商品などの商品の販売条件により、表示札８を容易に管理することができる。
【００９１】
また、上記表示札処理システム１００は、特売開始時、特売用ＰＯＰ用紙や特売用表示札８が貼付されているか否かを、容易にチェックすることができる。
【００９２】
また、上記表示札処理システム１００は、特売終了時後、使用期限が過ぎて無効な表示札８を容易に検出することができる。
【００９３】
また、上記表示札処理システム１００は、ＪＡＮコードなどの商品識別情報に関連づけられた商品情報の更新があった場合や、値段や産地情報が更新した場合であっても、容易に、表示札８を管理することができる。
【００９４】
また、上記表示札処理システム１００は、管理装置１０に記憶された商品マスタの商品情報などのデータと、商品陳列棚１に掲示された表示札８の価格等の商品情報などのデータとが、異なることを防止することができる。
【００９５】
また、精算装置（ＰＯＳ端末）２０は、商品の精算時バーコードスキャナによりＪＡＮコード（商品識別情報）を読み取ると、管理装置１０のデータベースや精算装置２０の記憶部などに記憶されている商品マスタ（商品に関する情報のリスト）などを参照して、商品識別情報に関連付けて記憶された商品の品名や価格などを取得し、商品の価格などを加算する演算を行うが、棚札に印字された商品の価格と、精算装置２０のバーコードスキャナにより取得された商品の価格が異なることを防止することができる。
【００９６】
また、上記表示札処理システム１００では、表示札８の札識別情報８５としてカラーコードを印字したので、店内の天井などに設けられた撮像部３０により、例えば１０ｃｍ〜３０ｍ程度の距離であっても、撮像部３０による札識別情報８５の認識率が高いので、広い店舗でも対応可能である。
【００９７】
また、表示札処理システム１００では、タブレット型携帯端末７０を用いて表示札８の管理を行ってもよいし、タブレット型携帯端末７０と撮像部３０を併用して表示札８の管理を行ってもよい。
【００９８】
また、例えば、地元の農家から直接持ち込まれた商品など、ＪＡＮコードが割り当てられていない商品に関する表示札８であっても、容易に、表示札８の管理を行うことが可能な表示札処理システム１００を提供することができる。
【００９９】
また、上記実施形態では、撮像部３０としてのカメラは所定位置に設置され、撮像方向が変更可能に構成されていたが、この形態に限られるものでない。例えば、撮像部３０は、店舗内を移動自在に設けられていてもよい。
【０１００】
また、上記実施形態では、店内の天井などの所定位置に設置された撮像部３０により撮像された表示札８の札識別情報８５に基づいて、陳列棚１などに配置された表示札８の位置を示す札位置情報を生成したが、この形態に限られるものではない。例えば、携帯端末７０の撮像部７３により撮像された表示札８の札識別情報８５に基づいて、陳列棚１に配置された表示札８の位置を示す札位置情報を、携帯端末７０や管理装置１０が生成してもよい。
【０１０１】
尚、上記実施形態では、棚の所定位置に配置された商品の近傍であって、棚の前面部分に表示札８を掲示していたが、この形態に限られるものではない。
【０１０２】
上記実施形態では、商品価格表示札などの表示札８としての棚札は紙などで形成されていたが、この形態に限られるものではない。商品価格表示札などの表示札８は、電子棚札のように、電子ペーパなどで構成された電子棚札であってもよい。表示札８として電子棚札を採用した場合、管理装置１０と電子棚札とが、例えば無線（赤外線）や有線などにより通信手段を介してデータ通信可能に接続するように構成する。管理装置１０の生成部としての制御部や通信手段により電子棚札に、札識別情報、商品情報などを送信し、電子棚札に札識別情報や商品情報、価格情報などを表示させる。つまり、管理装置１０はこの際、電子棚札はカラーコードなどにより札識別情報を表示する。
そして、管理装置１０は、電子棚札にカラーコードなどで表示された札識別情報を、カメラなどの撮像部３０で読み取り、その札識別情報に関連付けられた価格情報などの商品情報が有効か否かをチェックしてもよい。
【０１０３】
また、上記実施形態では、撮像部３０により、商品陳列棚１に設けられた表示札８を撮像する際、カメラコントローラ４０や管理装置１０などが、商品陳列棚１に設けられた、移動指示コードを示すカラーコード８７を撮像し、その移動指示コードに基づいてカメラコントローラ４０により駆動モータ（不図示）を駆動して、商品陳列棚１に設けられた表示札８を順次撮影するように、撮像部３０の撮像方向として仰角や方位角などを制御したが、この形態に限られるものではない。撮像部３０の撮像方向の制御は、移動指示コードを示すカラーコード８７を使用しなくともよい。具体的には、例えば、商品陳列棚１に設けられた表示札８を順次撮影するように、撮像部３０の撮像方向として仰角や方位角を予め規定しておき、カメラコントローラ４０により駆動モータ（不図示）をシーケンス制御により駆動して、商品陳列棚１に設けられた表示札８を順次撮影してもよい。
また、上記実施の形態では、表示札８には、商品の価格や商品名称が入っている表示札８の札識別情報８５を撮像部３０により撮像し、有効か否か、つまりそのまま店内に提示して良いものか否かを判断する例を示したがこれに限らない。
つまり、商品や商品の値段の入っていない店内広告紙、ＰＯＰ広告紙（例えば、「季節の挨拶」のＰＯＰ広告や、「歳末セール」といった限られた期間に使用する広告紙など）に前記札識別情報８５が用紙発行時に併せて印字発行されて、該札識別情報８５には店内での掲示期間情報を関連づけて記憶させておく。そして、札識別情報８５を撮像部３０で撮像した際に、そのときの管理装置１０の時計部から出力される日時データと、札識別情報８５に関連して記憶される前記掲示期間情報とを比較し、期間を過ぎているか否かを用紙毎に確認できるようにしてもよい。このように、店舗に提示される用紙毎に、それを識別する札識別情報８５を印字して発行し、その札識別情報８５を撮像部３０により撮像することで店内に掲示すべきでない用紙が掲示されていないかどうかを容易に判断することができる。
【０１０４】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【０１０５】
以上の実施形態に関し、さらに以下の付記を開示する。
（付記１）表示札に関する処理を行う表示札処理システムであって、
表示札それぞれに割り当てられた札識別情報と、前記表示札に表示される情報とを関連付けて記憶する記憶部と、
札識別情報と前記表示札に表示される情報とを表示した表示札を生成する生成部と、
掲示された表示札を撮像する撮像部と、
前記撮像部により表示札を撮像した場合、撮像された表示札の前記札識別情報に基づいて、該表示札を管理する処理を行う制御部と、
を有することを特徴とする表示札処理システム。
（付記２）
前記表示札は、商品に対応して掲示される商品価格表示札であって、
前記記憶部は、少なくとも商品の価格が表示される商品価格表示札それぞれに割り当てられた札識別情報と前記商品に関する商品情報とを関連付けて記憶し、
前記生成部は、札識別情報と商品情報とを表示した商品価格表示札を生成し、
前記撮像部は、前記掲示された商品価格表示札を撮像し、
前記制御部は、前記撮像部により商品価格表示札を撮像した場合、撮像された前記商品価格表示札の前記札識別情報に基づいて、該商品価格表示札を管理する処理を行うことを特徴とする付記１に記載の表示札処理システム。
（付記３）
前記記憶部は、商品識別情報と、前記札識別情報と、前記商品情報とを関連付けて記憶し、
前記生成部は、前記商品価格表示札を印字して発行し、発行時に札識別情報を生成する発行部であり、商品の商品識別情報と、前記商品情報と、前記札識別情報とを関連付けて印字して、前記商品価格表示札を発行することを特徴とする付記２に記載の表示札処理システム。
（付記４）
前記制御部は、前記撮像部により商品価格表示札を撮像した場合、撮像された前記商品価格表示札の札識別情報に基づいて、前記商品価格表示札の商品情報の有効または無効を判断する処理を行うことを特徴とする付記２または付記３に記載の表示札処理システム。
（付記５）
日時情報を計時する計時部を備え、
前記記憶部は、少なくとも商品の価格が表示される商品価格表示札それぞれに割り当てられた札識別情報と、当該商品価格表示札の使用期限情報とを関連付けて記憶し、
前記制御部は、前記撮像部により商品価格表示札を撮像した場合、撮像された前記商品価格表示札の前記札識別情報に関連付けられている使用期限情報と、前記計時部により計時された撮像時の日時情報に基づいて、撮像された商品価格表示札が有効か無効かを判断し、判断結果を報知する処理を行うことを特徴とする付記２から付記４のいずれかに記載の表示札処理システム。
（付記６）
前記制御部は、前記商品識別情報に関連付けられた商品情報を更新する場合、前記記憶部に記憶された更新前の商品情報に関連付けられた札識別情報の使用期限情報を使用期限外を示す情報に設定し、且つ、新たな商品情報の使用期限を設定し、前記札識別情報と前記商品識別情報と前記新たな商品情報とを印字した商品価格表示札を前記発行部により発行する処理を行うことを特徴とする付記１から付記５のいずれかに記載の表示札処理システム。
（付記７）
前記記憶部は、商品識別情報と、前記札識別情報と、前記商品情報と、を関連付けて記憶し、
前記制御部は、前記撮像部により商品価格表示札の札識別情報を撮像した場合、商品マスタ（マスタファイル）や発行履歴ファイルなどを参照し、撮像された前記商品価格表示札の札識別情報に基づいて該札識別情報に関連付けられた、商品情報の有効または無効を判断する処理を行うことを特徴とする付記１から付記６のいずれかに記載の表示処理システム。
（付記８）
前記記憶部は、商品が配置された陳列棚の位置情報と、前記陳列棚の棚番号および段番号と、を記憶するマップを有し、
前記制御部は、前記撮像部により撮像された商品価格表示札の札識別情報と、前記撮像部の撮像情報と前記マップに基づいて算出された該商品価格表示札の位置情報と、に基づいて、前記陳列棚に配置された前記商品価格表示札の位置を示す札位置情報を生成する処理を行うことを特徴とする付記１から付記７のいずれかに記載の表示札処理システム。
（付記９）
前記記憶部は、少なくとも、前記商品価格表示札の発行時の日時情報、発行者ＩＤのいずれかを示す発行情報と、該商品価格表示札の札識別情報と、を関連付けて記憶し、
前記制御部は、前記撮像部により撮像された商品価格表示札の札識別情報に基づいて、該札識別情報に関連付けられた前記商品価格表示札の日時情報、または、発行者ＩＤの管理を行うことを特徴とする付記１から付記８のいずれかに記載の表示札処理システム。
（付記１０）
前記発行部は、前記商品価格表示札に、前記札識別情報としてカラーコード、バーコード、２次元コードのいずれかを印字することを特徴とする付記１から付記９のいずれかに記載の表示札処理システム。
（付記１１）
付記１から付記１０のいずれかに記載の表示札処理システムで用いられる前記表示札を発行する発行装置。
【符号の説明】
【０１０６】
１  商品陳列棚（陳列棚、棚）
２  商品
６  発行部
７  通信路
８  表示札（商品価格表示札、棚札、ＰＯＰ広告紙など）
１０  管理装置（制御部）
１１  制御部
１２  通信部
１３  記憶部
１４  入力部
１５  表示部
１６  計時部
２０  精算装置（ＰＯＳ端末装置）
２１  バーコードスキャナ
３０  撮像部（カメラ）
４０  カメラコントローラ
５０  札発行制御装置（ＰＯＰ発行コントローラ、発行部、生成部）
６０  プリンタ部（印刷装置、発行部、生成部）
７０  携帯端末（タブレット型通信端末装置）
７１  無線装置
７３  撮像部
７４  タッチパネル表示部
８１  商品の名称
８２  商品の価格（売価、値段）
８３  商品識別情報
８３ａ  バーコード
８５  札識別情報
８５ａ  カラーコード
８７  カラーコード（制御用カラーコード）
１００  商品価格表示札処理システム
１１１  管理処理部
１１２  札掲示一覧情報処理部
１１３  比較処理部
１１４  報知処理部
【図１】
2014048752.tif 000003
【図２】
2014048752.tif 000004
【図３】
2014048752.tif 000005
【図４】
2014048752.tif 000006
【図５】
2014048752.tif 000007
【図６】
2014048752.tif 000008
【図７】
2014048752.tif 000009
【図８】
2014048752.tif 000010
【図９】
2014048752.tif 000011
【図１０】
2014048752.tif 000012
【図１１】
2014048752.tif 000013
【図１２】
2014048752.tif 000014
【図１３】
2014048752.tif 000015
【図１４】
2014048752.tif 000016
【図１５】
2014048752.tif 000017